(57)【要約】【課題】装着性を向上させることにより、排泄物の漏れを防止する効果を向上させることができる、テープ式の使い捨ておむつを提供すること。【解決手段】テープ式の使い捨ておむつ１は、前側胴周り部１０ａと、後側胴周り部１０ｂと、股下部１０ｃとを備え、後側胴周り部１０ｂには、前側胴周り部１０ａに着脱自在に係合されるファスナー部材２０を設け、股下部１０ｃにおける、前側胴周り部１０ａから後側胴周り部１０ｂへ向かう長さ方向に略直交する方向である幅方向の端部の形状を、装着者の脚周りの形状とし、股下部１０ｃの幅方向の端部近傍には、脚周り部伸縮材１６を設け、股下部１０ｃにおける脚周り部伸縮材１６の延伸線上には、前側胴周り部１０ａ、後側胴周り部１０ｂ、又は当該股下部１０ｃに着脱自在に係合される脚部ファスナー部材３０を設け、脚部ファスナー部材３０の引張方向が脚周り部伸縮材１６の延伸方向と一致するように、脚周り部伸縮材１６を配置した。【選択図】図１
2013013682.tif 000002
【特許請求の範囲】
【請求項１】
装着者の胴周りの腹側を覆う前側胴周り部と、
装着者の胴周りの背側を覆う後側胴周り部と、
前記前側胴周り部と前記後側胴周り部との相互間に設けられた股下部であって、装着者の股下側を覆う股下部とを備え、
前記前側胴周り部又は前記後側胴周り部のいずれか一方には、前記前側胴周り部又は前記後側胴周り部のいずれか他方に着脱自在に係合されるファスナー部材を設け、
前記股下部における、前記前側胴周り部から前記後側胴周り部へ向かう長さ方向に略直交する方向である幅方向の端部の形状を、装着者の脚周りの形状とし、
前記股下部の前記幅方向の端部近傍には、伸縮部材を設け、
前記股下部における前記伸縮部材の延伸線上には、前記前側胴周り部、前記後側胴周り部、又は当該股下部に着脱自在に係合される脚部ファスナー部材を設け、
装着者によって引張られた際の前記脚部ファスナー部材の引張方向が前記伸縮部材の延伸方向と一致するように、前記脚部ファスナー部材を配置した、
テープ式の使い捨ておむつ。
【請求項２】
前記ファスナー部材を前記後側胴周り部に設け、
前記脚部ファスナー部材を、前記股下部における前記長さ方向の中央位置よりも前記前側胴周り部側に設けた、
請求項１に記載のテープ式の使い捨ておむつ。
【請求項３】
前記脚部ファスナー部材を弾性部材にて形成した、
請求項１又は２に記載のテープ式の使い捨ておむつ。
【請求項４】
少なくとも前記股下部における装着者と当接する側の側部には、装着者に向けて凸となる突起状に形成された漏洩防止手段であって、排泄物が当該テープ式の使い捨ておむつ外に漏洩することを防止する漏洩防止手段を設け、
前記漏洩防止手段における前記股下部側の端部とは反対側の端部には、漏洩防止用伸縮部材を設け、
前記漏洩防止手段における前記反対側の端部から前記股下部に至る間の領域のうち、前記漏洩防止用伸縮部材が設けられていない領域を前記股下部に接続した、
請求項１から３のいずれか一項に記載のテープ式の使い捨ておむつ。
【請求項５】
少なくとも前記股下部における装着者と当接する側の側部には、排泄物を吸収する吸収体を設け、
前記前側胴周り部、前記後側胴周り部、又は前記股下部には、前記吸収体を着脱自在に固定可能な固定手段を設けた、
請求項１から４のいずれか一項に記載のテープ式の使い捨ておむつ。
【発明の詳細な説明】
【技術分野】
【０００１】
本発明は、テープ式の使い捨ておむつに関する。
【背景技術】
【０００２】
従来から、装着者（例えば乳幼児、高齢者等）から排泄される排泄物（例えば尿や便等）を捕捉するために着用する使い捨ておむつが用いられている。例えば、おむつ本体に対してファスニングテープを固定して構成されたトランクス型のテープ式の使い捨ておむつが開示されている。ここで、このおむつ本体は、液透過性の表面シートと、液不透過性の裏面シートと、表面シートと裏面シートとの相互間に設けられた液保持性の吸収体とを備えて構成されている。また、このファスニングテープは、おむつ本体の背側部に設けられており、このおむつが装着者へあてがわれた状態ではおむつ本体の腹側の表面に止着される（例えば、特許文献１参照）。
【先行技術文献】
【特許文献】
【０００３】
【特許文献１】特許第４００４３８１号公報
【発明の概要】
【発明が解決しようとする課題】
【０００４】
しかしながら、上述した従来のトランクス型のテープ式の使い捨ておむつは、装着性に関して改善の余地があった。例えば、装着者の脚周り側のサイズがおむつ本体における装着者の脚周り側を覆う部分のサイズよりも小さい場合、装着者の脚周り側と当該おむつとの間に隙間が生じるので、おむつを装着者の脚周り側にフィットさせることが困難であった。
【０００５】
本発明は、上記に鑑みてなされたものであって、装着性を向上させることにより、排泄物の漏れを防止する効果を向上させることができる、テープ式の使い捨ておむつを提供することを目的とする。
【課題を解決するための手段】
【０００６】
上述した課題を解決し、目的を達成するために、請求項１に記載のテープ式の使い捨ておむつは、装着者の胴周りの腹側を覆う前側胴周り部と、装着者の胴周りの背側を覆う後側胴周り部と、前記前側胴周り部と前記後側胴周り部との相互間に設けられた股下部であって、装着者の股下側を覆う股下部とを備え、前記前側胴周り部又は前記後側胴周り部のいずれか一方には、前記前側胴周り部又は前記後側胴周り部のいずれか他方に着脱自在に係合されるファスナー部材を設け、前記股下部における、前記前側胴周り部から前記後側胴周り部へ向かう長さ方向に略直交する方向である幅方向の端部の形状を、装着者の脚周りの形状とし、前記股下部の前記幅方向の端部近傍には、伸縮部材を設け、前記股下部における前記伸縮部材の延伸線上には、前記前側胴周り部、前記後側胴周り部、又は当該股下部に着脱自在に係合される脚部ファスナー部材を設け、装着者によって引張られた際の前記脚部ファスナー部材の引張方向が前記伸縮部材の延伸方向と一致するように、前記脚部ファスナー部材を配置している。
【０００７】
また、請求項２に記載のテープ式の使い捨ておむつは、請求項１に記載のテープ式の使い捨ておむつにおいて、前記ファスナー部材を前記後側胴周り部に設け、前記脚部ファスナー部材を、前記股下部における前記長さ方向の中央位置よりも前記前側胴周り部側に設けている。
【０００８】
また、請求項３に記載のテープ式の使い捨ておむつは、請求項１又は２に記載のテープ式の使い捨ておむつにおいて、前記脚部ファスナー部材を弾性部材にて形成している。
【０００９】
また、請求項４に記載のテープ式の使い捨ておむつは、請求項１から３のいずれか一項に記載のテープ式の使い捨ておむつにおいて、少なくとも前記股下部における装着者と当接する側の側部には、装着者に向けて凸となる突起状に形成された漏洩防止手段であって、排泄物が当該テープ式の使い捨ておむつ外に漏洩することを防止する漏洩防止手段を設け、前記漏洩防止手段における前記股下部側の端部とは反対側の端部には、漏洩防止用伸縮部材を設け、前記漏洩防止手段における前記反対側の端部から前記股下部に至る間の領域のうち、前記漏洩防止用伸縮部材が設けられていない領域を前記股下部に接続している。
【００１０】
また、請求項５に記載のテープ式の使い捨ておむつは、請求項１から５のいずれか一項に記載のテープ式の使い捨ておむつにおいて、少なくとも前記股下部における装着者と当接する側の側部には、排泄物を吸収する吸収体を設け、前記前側胴周り部、前記後側胴周り部、又は前記股下部には、前記吸収体を着脱自在に固定可能な固定手段を設けている。
【発明の効果】
【００１１】
請求項１に記載のテープ式の使い捨ておむつによれば、股下部における伸縮部材の延伸線上に、前側胴周り部、後側胴周り部、又は当該股下部に着脱自在に係合される脚部ファスナー部材を設けたので、装着者がテープ式の使い捨ておむつを装着した時に、装着者によって脚部ファスナー部材が引張られた際には、伸縮部材を効果的に延伸させることができる。そのため、装着者の脚周り側を股下部にフィットさせることができ、排泄物の漏れを防止する効果を向上させることができる。また、装着者によって引張られる脚部ファスナー部材の引張方向が伸縮部材の延伸方向と一致するように、脚部ファスナー部材を配置したので、装着者によって脚部ファスナー部材に作用する引張力を伸縮部材に効果的に伝達することができ、伸縮部材を一層効果的に延伸させることができる。
【００１２】
また、請求項２に記載のテープ式の使い捨ておむつによれば、ファスナー部材を後側胴周り部に設け、脚部ファスナー部材を股下部における長さ方向の中央位置よりも前側胴周り部側に設けたので、脚部ファスナー部材をファスナー部材の引張方向と対向する方向に沿って引張ることができ、股下部における長さ方向の中央位置よりも後側胴周り部側に設けた場合に比べて伸縮部材を効果的に延伸させることができる。
【００１３】
また、請求項３に記載のテープ式の使い捨ておむつによれば、脚部ファスナー部材を弾性部材にて形成したので、当該脚部ファスナー部材と伸縮部材と連続した延伸効果を有することができ、テープ式の使い捨ておむつの装着性を一層向上させることができる。
【００１４】
また、請求項４に記載のテープ式の使い捨ておむつによれば、漏洩防止手段における反対側の端部から股下部に至る間の領域のうち、漏洩防止用伸縮部材が設けられていない領域を股下部に接続したので、当該漏洩防止用伸縮部材が設けられていない領域が脚部ファスナー部材の伸縮と共に伸縮しやすくなる。そのため、漏洩防止手段のギャザー効果を向上させることができ、装着者の股下側と漏洩防止手段とをフィットさせることができる。また、このテープ式の使い捨ておむつにおける、上記漏洩防止用伸縮部材が設けられていない領域における長さ方向の端部近傍と、漏洩防止手段との相互間にポケット構造を形成することができ、排泄物の漏れを防止する効果を一層向上させることができる。さらに、漏洩防止手段のギャザー効果の向上によって、脚部ファスナー部材が引張られることにより、漏洩防止手段も伸張されるので、上記ポケット構造の密閉性を向上させることができる。また、このポケット構造は、脚部ファスナー部材の幅方向の線上に形成されているので、脚部ファスナー部材が引張られると、漏洩防止手段が伸張されるので、このポケット構造の密閉性を向上させることができる。
【００１５】
また、請求項５に記載のテープ式の使い捨ておむつによれば、前側胴周り部、後側胴周り部、又は股下部には、パッドを着脱自在に固定可能な固定手段を設けたので、装着者と当該テープ式の使い捨ておむつとの相互間においてパッドをズレないように介在させることができる。そのため、テープ式の使い捨ておむつにパッドが取り付けられた場合でも、当該パッドが取り付けられていない場合と同様の装着性を維持することができる。
【図面の簡単な説明】
【００１６】
【図１】実施の形態１に係るテープ式の使い捨ておむつの構成を示す平面図である。
【図２】図１のテープ式の使い捨ておむつが組立てられた状態の正面図であり、（ａ）は腹側から見た図であり、（ｂ）は背側から見た図である。
【図３】図２の斜視図である。
【図４】図１の変形例に係るパンツ型のテープ式の使い捨ておむつが組立てられた状態の正面図であり、（ａ）は腹側から見た図であり、（ｂ）は背側から見た図である。
【図５】図４の斜視図である。
【図６】（ａ）は図１の股下部のＸ方向の端部の拡大図を示す図であり、（ｂ）は（ａ）の変形例を示す図である。
【図７】図１の立体ギャザーの拡大図である。
【図８】図７のＡ−Ａ矢視断面図である。
【図９】図７のＢ−Ｂ矢視断面図である。
【図１０】図９の斜視図である。
【図１１】実施の形態２に係るテープ式の使い捨ておむつの構成を示す平面図である。
【発明を実施するための形態】
【００１７】
以下に添付図面を参照して、この発明に係るテープ式の使い捨ておむつの各実施の形態を詳細に説明する。最初に、テープ式の使い捨ておむつの全体構成を説明し、次に、テープ式の使い捨ておむつの装着方法を説明し、次いでテープ式の使い捨ておむつの製造方法について説明し、最後に各実施の形態に対する変形例について説明する。ただし、この実施の形態によって本発明が限定されるものではない。
【００１８】
〔実施の形態１〕
最初に、実施の形態１について説明する。この実施の形態１は、本発明の基本形態である。
【００１９】
（構成）
実施の形態１に係るテープ式の使い捨ておむつの適用対象又は種類は任意である。例えば、テープ式の使い捨ておむつの適用対象としては、幼児用のテープ式の使い捨ておむつ、大人用のテープ式の使い捨ておむつ、ペット用のテープ式の使い捨ておむつ等が挙げられる。また、テープ式の使い捨ておむつの種類としては、トランクス型のテープ式の使い捨ておむつ、パンツ型のテープ式の使い捨ておむつ等が挙げられる。以下では、装着する対象者を大人として、排泄物を捕捉するために着用される大人用トランクス型のテープ式の使い捨ておむつ（以下、テープ式の使い捨ておむつと称す）に適用した場合を例として説明を行う。
【００２０】
図１は、実施の形態１に係るテープ式の使い捨ておむつの構成を示す平面図である。図２は、図１のテープ式の使い捨ておむつが組立てられた状態の正面図であり、（ａ）は腹側から見た図であり、（ｂ）は背側から見た図である。図３は、図２の斜視図である。図４は、図１の変形例に係るパンツ型のテープ式の使い捨ておむつが組立てられた状態の正面図であり、（ａ）は腹側から見た図であり、（ｂ）は背側から見た図である。図５は、図４の斜視図である。なお、以下の説明では、図１のＸ方向を幅方向、Ｙ方向を長さ方向、図１に示す形状を平面形状、図１に示すテープ式の使い捨ておむつをＸ方向又はＹ方向から見た形状を側面形状とする。図１に示すように、テープ式の使い捨ておむつ１は、おむつ本体１０に対してファスナー部材２０と、脚部ファスナー部材３０とを固定して構成されている。また、以下の説明では、図１から図３に示すトランクス型のテープ式の使い捨ておむつの説明を行うが、図４及び図５に示すパンツ型のテープ式の使い捨ておむつについては説明を省略する。
【００２１】
（構成−おむつ本体）
おむつ本体１０は、テープ式の使い捨ておむつ１の基本構造体である。このおむつ本体１０は、裏面材１１、表面材１２、吸収体１３、立体ギャザー１４、ウエスト部伸縮材１５、脚周り部伸縮材１６、及びターゲットゾーン１７を備えて構成されている。以下では、説明の都合上、おむつ本体１０を３つの領域に区分して説明する。具体的には、このおむつ本体１０は、Ｘ方向に沿った区分面１００ａ、１００ｂを境界として、装着者の胴周りの腹側を覆う前側胴周り部１０ａと、装着者の胴周りの背側を覆う後側胴周り部１０ｂと、前側胴周り部１０ａと後側胴周り部１０ｂとの相互間に設けられた股下部１０ｃであって、装着者の股下側を覆う股下部１０ｃとに区分する。ただし、この区分は、概念的なものであって物理的なものではなく、これら前側胴周り部１０ａと、後側胴周り部１０ｂと、股下部１０ｃとは相互に境目のない一体的なものとして形成されている。なお、おむつ本体１０の側面のうち、装着者の肌面に対向する側の側面をおむつ内側面と称し、装着者の肌面に対向しない側の側面をおむつ外側面と称する（後述する裏面材１１の側面、表面材１２の側面、立体ギャザー１４の側面、ファスナー部材２０の側面、脚部ファスナー部材３０の側面も同様とする）。
【００２２】
（構成−おむつ本体−裏面材）
裏面材１１は、液状の排泄物を透過しない液不透過手段である。この裏面材１１は、平面形状を略砂時計形状とするシート状体であり、前側胴周り部１０ａ、後側胴周り部１０ｂ、及び股下部１０ｃにわたって設けられている。また、この裏面材１１は、液状の排泄物を透過しない材質、例えば、ポリエチレン等の合成樹脂材等で形成されている。また、この裏面材１１のおむつ外側面上には、裏面材不織布１１ａが設けられている。この裏面材不織布１１ａは、防水性の高い材質、例えば合成樹脂材等で形成されている。
【００２３】
（構成−おむつ本体−表面材）
表面材１２は、液状の排泄物を透過する透過手段である。表面材１２は、裏面材１１に比べて板面積が小さいものであって、平面形状を長方形状とするシート状体である。この表面材１２は、前側胴周り部１０ａ、後側胴周り部１０ｂ、及び股下部１０ｃにわたって設けられており、裏面材１１に対して少なくともその一部を接着剤又は溶着等によって固定されている。また、この表面材１２は、液状の排泄物を透過する材質、例えば、浸水性の水透過シートで形成されている。
【００２４】
（構成−おむつ本体−吸収体）
吸収体１３は、表面材１２を透過した液状の排泄物を吸収する吸収手段である。この吸収体１３は、平面形状を略方形状又は略砂時計形状とする板状体であり、前側胴周り部１０ａ、後側胴周り部１０ｂ、及び股下部１０ｃにわたって設けられている。具体的には、この吸収体１３は、裏面材１１と表面材１２との相互間に挟持されており、裏面材１１又は表面材１２に対して少なくともその一部を接着剤又は溶着等によって固定されている。この吸収体１３は、液状の排泄物を吸収する材質、例えば、高分子ポリマー、パルプ繊維等の吸水材で形成されている。
【００２５】
（構成−おむつ本体−立体ギャザー）
立体ギャザー１４は、排泄物がおむつ本体１０外に漏洩することを防止する漏洩防止手段である。立体ギャザー１４は、装着者に向けて凸となる突起状に形成されたシート状体であり、前側胴周り部１０ａ、後側胴周り部１０ｂ、及び股下部１０ｃにわたって設けられている。具体的には、立体ギャザー１４は、裏面材１１のおむつ内側面上に一対設けられており、吸収体１３のＸ方向の両端部に配置され、裏面材１１に対して接着剤又は溶着等により固定されている。また、各立体ギャザー１４は、液状の排泄物を透過しがたい撥水性の不織布で形成されている。なお、この立体ギャザー１４の設置の詳細については、後述する。
【００２６】
また、立体ギャザー１４におけるおむつ本体１０側の端部とは反対側の端部には、立体ギャザー伸縮材１４ａが設けられている。立体ギャザー伸縮材１４ａは、立体ギャザー１４を装着者にフィットさせるために、立体ギャザー１４を伸縮させるための漏洩防止用伸縮部材である。この立体ギャザー伸縮材１４ａは、ゴム材等の弾性部材で形成された略細長の線状体又は棒状体であり、当該立体ギャザー伸縮材１４ａを伸張させた状態で立体ギャザー１４に対して接着剤又は溶着等により固定されている。
【００２７】
（構成−おむつ本体−ウエスト部伸縮材）
また、ウエスト部伸縮材１５は、後側胴周り部１０ｂを装着者にフィットさせるために、当該後側胴周り部１０ｂを伸縮させるための後側胴周り用伸縮部材である。このウエスト部伸縮材１５は、ゴム材等の弾性部材で形成された略細長の線状体又は棒状体であり、後側胴周り部１０ｂに設けられている。具体的には、このウエスト部伸縮材１５は、裏面材１１と表面材１２の相互間に挟持されており、後側胴周り部１０ｂをＸ方向に沿って伸縮させるために、当該後側胴周り部１０ｂにおいてＸ方向に沿うように配置され、当該ウエスト部伸縮材１５を伸張させた状態で裏面材１１又は表面材１２に対して接着剤又は溶着等により固定されている。
【００２８】
（構成−おむつ本体−脚周り部伸縮材）
また、脚周り部伸縮材１６は、股下部１０ｃにおけるＸ方向の端部を装着者にフィットさせるために、当該股下部１０ｃにおけるＸ方向の端部を伸縮させるための伸縮部材である。この脚周り部伸縮材１６は、ゴム材等の弾性部材で形成された略細長の線状体又は棒状体であり、股下部１０ｃに設けられている。具体的には、脚周り部伸縮材１６は、裏面材１１と裏面材不織布１１ａとの相互間に複数挟持されており、当該脚周り部伸縮材１６を伸張させた状態で裏面材１１又は裏面材不織布１１ａに対して接着剤又は溶着等により固定されている。なお、この脚周り部伸縮材１６の設置の詳細については、後述する。
【００２９】
（構成−おむつ本体−ターゲットゾーン）
ターゲットゾーン１７は、ファスナー部材２０を、おむつ本体１０に対して着脱自在に固定するためのファスナー部材固定手段である。ターゲットゾーン１７は、ポリエチレン等の合成樹脂材等で形成された略方形状のシート状体であり、前側胴周り部１０ａ又は後側胴周り部１０ｂのいずれか一方に設けられている（ここでは、前側胴周り部１０ａに設けられている）。具体的には、実施の形態１では、このターゲットゾーン１７は、裏面材不織布１１ａのおむつ外側面上に設けられ、裏面材不織布１１ａに対して接着剤又は溶着等により固定されている。
【００３０】
（構成−ファスナー部材）
ファスナー部材２０は、テープ式の使い捨ておむつ１を装着者に固定するためのものである。ファスナー部材２０は、平面形状を略方形状とするシート状体である。また、このファスナー部材２０は、前側胴周り部１０ａ又は後側胴周り部１０ｂのいずれか一方に設けられ、前側胴周り部１０ａ又は後側胴周り部１０ｂのいずれか他方に着脱自在に係合される。具体的には、実施の形態１では、ターゲットゾーン１７が前側胴周り部１０ａに取り付けられているので、このファスナー部材２０は後側胴周り部１０ｂに一対設けられ、後側胴周り部１０ｂのＸ方向の両端部に配置され、裏面材１１または裏面材不織布１１ａに対して接着剤や溶着等によって接続される。これにより、ファスナー部材２０を前側胴周り部１０ａに設けられたターゲットゾーン１７に着脱自在に係合することができる。
【００３１】
また、ファスナー部材２０には、平板状の第１の面ファスナー２０ａが設けられている。第１の面ファスナー２０ａは、ファスナー部材２０をターゲットゾーン１７に着脱自在に取り付けるためのターゲットゾーン当接手段である。この第１の面ファスナー２０ａは、ファスナー部材２０のおむつ内側面上に設けられ、ファスナー部材２０に対して接着剤又は溶着等により固定されている。この第１の面ファスナー２０ａの構成は、上述したターゲットゾーン１７の構成に対応するものであり、例えば、ターゲットゾーン１７がフック状の突起部を係合するように構成されている場合には、第１の面ファスナー２０ａは、当該フック状の突起部が着脱可能に係合される突起部を有する。
【００３２】
（構成−脚部ファスナー部材）
脚部ファスナー部材３０は、股下部１０ｃにおけるＸ方向の端部の締め付けを調整するためのものである。脚部ファスナー部材３０は、伸縮性不織布やゴム材等の弾性部材で形成されたものであって、平面形状を略方形状とするシート状体である。また、この脚部ファスナー部材３０は、股下部１０ｃに設けられ、前側胴周り部１０ａ、後側胴周り部１０ｂ、又は股下部１０ｃに着脱自在に係合される。具体的には、脚部ファスナー部材３０は股下部１０ｃに一対設けられており、股下部１０ｃのＸ方向の両端部に配置され、裏面材１１または裏面材不織布１１ａに対して接着剤や溶着等によって接続されている。
【００３３】
また、脚部ファスナー部材３０には、平板状の第２の面ファスナー３０ａが設けられている。第２の面ファスナー３０ａは、脚部ファスナー部材３０を前側胴周り部１０ａ、後側胴周り部１０ｂ、又は股下部１０ｃに着脱自在に取り付けるための当接手段である。この第２の面ファスナー３０ａは、脚部ファスナー部材３０のおむつ内側面上に設けられ、脚部ファスナー部材３０に対して接着剤又は溶着等により固定されている。また、この第２の面ファスナー３０ａの構成は、例えば、前側胴周り部１０ａ、後側胴周り部１０ｂ、又は股下部１０ｃと着脱可能に接続される止着材（例えば、粘着シール、フック材等）にて構成されている。なお、この脚部ファスナー部材３０の設置の詳細については、後述する。
【００３４】
（脚周り部伸縮材と脚部ファスナー部材の設置の詳細）
次に、実施の形態１に係る脚周り部伸縮材１６と脚部ファスナー部材３０の設置の詳細について説明する。図６（ａ）は図１の股下部のＸ方向の端部の拡大図を示す図であり、図６（ｂ）は図６（ａ）の変形例を示す図である。
【００３５】
まず、脚周り部伸縮材１６の設置の詳細について説明する。脚周り部伸縮材１６は、概念的には、股下部１０ｃのＸ方向の端部近傍に配置されている。ここで、「股下部１０ｃのＸ方向の端部近傍」としては、凹部４０と、前側胴周り部１０ａと凹部４０とを連結する前側連結部４１と、後側胴周り部１０ｂと凹部４０とを連結する後側連結部４２とが該当する。また、「凹部４０」は、装着者の脚周りの形状にて形成されており、例えば股下部１０ｃの内側に向けて凸となる湾曲状、屈曲状、コの字状等と形成されている。
【００３６】
具体的には、実施の形態１では、図６（ａ）に示すように、凹部４０が股下部１０ｃの内側に向けて凸となる湾曲状に形成されており、この脚周り部伸縮材１６は、凹部４０に沿うように股下部１０ｃのＸ方向の端部近傍に連続状に複数配置されている。これにより、股下部１０ｃのＸ方向の端部を当該股下部１０ｃのＸ方向の端部に沿って伸縮させることができる。
【００３７】
次に、脚部ファスナー部材３０の設置の詳細について説明する。脚部ファスナー部材３０は、概念的には、股下部１０ｃにおける脚周り部伸縮材１６の延伸線上に配置されている。ここで、「股下部１０ｃにおける脚周り部伸縮材１６の延伸線上」とは、股下部１０ｃにおける脚周り部伸縮材１６の軸線上、又は股下部１０ｃにおける脚周り部伸縮材１６の軸線の延長線上を意味する。また、「脚部ファスナー部材３０が、股下部１０ｃにおける脚周り部伸縮材１６の軸線上に配置される」とは、脚部ファスナー部材３０が脚周り部伸縮材１６の少なくとも一部と重なる位置に配置されることを意味する。また、「脚部ファスナー部材３０が、股下部１０ｃにおける脚周り部伸縮材１６の軸線の延長線上に配置される」とは、脚部ファスナー部材３０が脚周り部伸縮材１６の軸線の延長線上であって、脚周り部伸縮材１６から離れた位置に配置されることを意味する。
【００３８】
具体的には、実施の形態１では、図６（ａ）に示すように、一対の脚部ファスナー部材３０の各々は、股下部１０ｃにおけるＹ方向の中央位置よりも前側胴周り部１０ａ側であって、脚周り部伸縮材１６の軸線の延長線上に配置されている。これにより、脚部ファスナー部材３０を引張ることにより、脚周り部伸縮材１６を効果的に延伸させることができる。
【００３９】
また、脚部ファスナー部材３０の配置方向は任意であり、例えば、概念的には、装着者によって引張られた際の脚部ファスナー部材３０の引張方向が脚周り部伸縮材１６の延伸方向と一致するように、この脚部ファスナー部材３０が配置されてもよい。ここで、「脚周り部伸縮材１６の延伸方向」とは、脚周り部伸縮材１６が当該脚周り部伸縮材１６の軸線に沿って延伸される方向のことである。
【００４０】
具体的には、実施の形態１では、図６（ｂ）に示すように、脚部ファスナー部材３０の引張方向が脚周り部伸縮材１６の軸線に沿うように、脚部ファスナー部材３０が配置されてもよい。これにより、脚部ファスナー部材３０に作用する力（例えば引張力等）を脚周り部伸縮材１６に効果的に伝達することができ、脚周り部伸縮材１６を一層効果的に延伸させることができる。
【００４１】
さらに、ファスナー部材２０と脚部ファスナー部材３０との相互の位置関係については、脚部ファスナー部材３０は、股下部１０ｃにおけるＹ方向の中央位置を基準として、ファスナー部材２０が設けられている位置とは反対側の位置に設けられることが好ましい。例えば、概念的に、ファスナー部材２０が後側胴周り部１０ｂに設けられている場合には、脚部ファスナー部材３０は、股下部１０ｃにおけるＹ方向の中央位置よりも前側胴周り部１０ａ側に設けられてもよい。あるいは、ファスナー部材２０が前側胴周り部１０ａに設けられている場合には、脚部ファスナー部材３０は、股下部１０ｃにおけるＹ方向の中央位置よりも後側胴周り部１０ｂ側に設けられてもよい。
【００４２】
具体的には、実施の形態１では、図６（ａ）に示すように、ファスナー部材２０が後側胴周り部１０ｂに設けられている場合には、脚部ファスナー部材３０は、股下部１０ｃにおけるＹ方向の中央位置よりも前側胴周り部１０ａ側（例えば、上述した前側連結部４１等）に設けられてもよい。これにより、脚部ファスナー部材３０をファスナー部材２０の引張方向と対向する方向に沿って引張ることができるので、股下部１０ｃにおけるＹ方向の中央位置よりも後側胴周り部１０ｂ側に設けた場合に比べて脚周り部伸縮材１６を効果的に延伸させることができる。
【００４３】
（立体ギャザーの設置の詳細）
次に、実施の形態１に係る立体ギャザー１４の設置の詳細について説明する。図７は、図１の立体ギャザー１４の拡大図である。図８は、図７のＡ−Ａ矢視断面図である。図９は、図７のＢ−Ｂ矢視断面図である。図１０は、図９の斜視図である。
【００４４】
立体ギャザー１４の設置については、概念的には、立体ギャザー１４における股下部１０ｃ側の端部とは反対側の端部から股下部１０ｃに至る間の領域のうち、立体ギャザー伸縮材１４ａが設けられていない領域が股下部１０ｃに接続されている。
【００４５】
具体的には、実施の形態１では、図７及び図９に示すように、立体ギャザー１４における装着者の股下側に当接する部分であって、立体ギャザー１４のおむつ外側面のうち、立体ギャザー伸縮材１４ａが設けられていない領域が、股下部１０ｃのおむつ内側面であって、当該立体ギャザー伸縮材１４ａが設けられていない領域よりも当該股下部１０ｃの内側に位置する部分に対して接着剤又は溶着によって接続されている（図１及び図７に示す斜線部分は、立体ギャザー伸縮材１４ａが設けられていない領域と股下部１０ｃのおむつ内側面との接合部６０に該当する）。
【００４６】
これにより、上記立体ギャザー伸縮材１４ａが設けられていない領域が脚部ファスナー部材３０の伸縮と共に伸縮しやすくなるので、立体ギャザー１４のギャザー効果を向上させることができる。
【００４７】
また、このテープ式の使い捨ておむつ１は、上記従来のテープ式の使い捨ておむつに比べて凹部４０が急な湾曲状に形成されているので、従来のテープ式の使い捨ておむつに比べて吸収体１３の幅（特に吸収体１３のくびれ部分の幅）が小さい。その一方で、上記立体ギャザー伸縮材１４ａが設けられていない領域を股下部１０ｃに接続することにより、おむつ本体１０における、上記立体ギャザー伸縮材１４ａが設けられていない領域におけるＹ方向の端部近傍と立体ギャザー１４との相互間にポケット構造５０を形成することができる。これらのことから、このテープ式の使い捨ておむつ１は、従来のテープ式の使い捨ておむつと遜色なく、排泄物を閉じ込めることができる。また、このポケット構造５０は、脚部ファスナー部材３０のＸ方向の線上に形成されているので、脚部ファスナー部材３０が引張られると、立体ギャザー１４が伸張されるので、このポケット構造５０の密閉性を向上させることができる。
【００４８】
（テープ式の使い捨ておむつの装着方法）
次に、上述したテープ式の使い捨ておむつ１の装着方法について説明する。図３に示すように、このテープ式の使い捨ておむつ１の装着方法としては、最初に、装着者におむつ本体１０をあてがうために、後側胴周り部１０ｂを装着者の背側を覆うように当接するとともに、前側胴周り部１０ａを装着者の腹側を覆うように当接する。
【００４９】
次に、このテープ式の使い捨ておむつ１を装着者の胴回りで固定するために、後側胴周り部１０ｂの両端部に取り付けられた一対のファスナー部材２０を前側胴周り部１０ａに設けられたターゲットゾーン１７に固定する。
【００５０】
次いで、股下部１０ｃにおけるＹ方向の中央位置よりも前側胴周り部１０ａ側に設けられた一対の脚部ファスナー部材３０を後側胴周り部１０ｂ（又は股下部１０ｃにおけるＹ方向の中央位置よりも後側胴周り部１０ｂ側）に固定するための準備として、一対の脚部ファスナー部材３０を装着者の背側に向けてそれぞれ引張ることにより、股下部１０ｃのＸ方向の両端部又は一対の脚部ファスナー部材３０を伸長させる。その後、一対の脚部ファスナー部材３０を後側胴周り部１０ｂ（又は股下部１０ｃにおけるＹ方向の中央位置よりも後側胴周り部１０ｂ側）に固定する。
【００５１】
このように、装着者がテープ式の使い捨ておむつ１を装着した時に、装着者によって脚部ファスナー部材３０が引張られた際には、脚周り部伸縮材１６を効果的に延伸させることができ、装着者の脚周り側を股下部１０ｃにフィットさせることができる。特に、脚部ファスナー部材３０をファスナー部材２０の引張方向と対向する方向に沿って引張ることにより、脚周り部伸縮材１６を一層効果的に延伸させることができる。また、脚部ファスナー部材３０を引張ることにより、立体ギャザー１４を伸張させることができ、装着者の股下側と立体ギャザー１４とをフィットさせることができる。
【００５２】
（テープ式の使い捨ておむつの製造方法）
次に、上述したテープ式の使い捨ておむつ１の製造方法について説明する。このテープ式の使い捨ておむつ１の製造方法は、最初に、裏面材不織布１１ａのおむつ外側面上に、ターゲットゾーン１７を設ける。具体的には、ターゲットゾーン１７を前側胴周り部１０ａとなる位置に設け、裏面材不織布１１ａに対して接着剤又は溶着等により固定する。次いで、裏面材不織布１１ａのおむつ内側面上に裏面材１１を設けると共に、脚周り部伸縮材１６を裏面材１１と裏面材不織布１１ａとの相互間に設ける。具体的には、裏面材１１を、前側胴周り部１０ａ、後側胴周り部１０ｂ、及び股下部１０ｃとなる位置にわたって設け、裏面材不織布１１ａに対して少なくともその一部を接着剤又は溶着等によって固定する。また、脚周り部伸縮材１６を股下部１０ｃのＸ方向の端部近傍となる位置にわたって設け、脚周り部伸縮材１６を伸長させた状態で、裏面材１１又は裏面材不織布１１ａに対して接着剤又は溶着等により固定する。
【００５３】
次に、裏面材１１のおむつ内側面上に吸収体１３を設ける。具体的には、吸収体１３を前側胴周り部１０ａ、後側胴周り部１０ｂ、及び股下部１０ｃとなる位置にわたって設け、吸収体１３を裏面材１１に対して接着剤又は溶着等により固定する。
【００５４】
次に、ファスナー部材２０のおむつ内側面上に第１の面ファスナー２０ａを設け、ファスナー部材２０に対して接着剤又は溶着等により固定する。次いで、一対のファスナー部材２０を裏面材１１のおむつ内側面上に設ける。具体的には、一対のファスナー部材２０を後側胴周り部１０ｂにおけるＸ方向の両端部となる位置にわたって設け、裏面材１１に対して接着剤又は溶着等により固定する。
また、脚部ファスナー部材３０のおむつ内側面上に第２の面ファスナー３０ａを設け、脚部ファスナー部材３０に対して接着剤又は溶着等により固定する。次いで、一対の脚部ファスナー部材３０を裏面材１１のおむつ内側面上に設ける。具体的には、一対の脚部ファスナー部材３０を股下部１０ｃのＸ方向の両端部近傍となる位置にわたって設ける。このとき、一対の脚部ファスナー部材３０の各々を股下部１０ｃにおけるＹ方向の中央位置よりも前側胴周り部１０ａ側であって、脚周り部伸縮材１６の軸線の延長線上に配置する。そして、一対の脚部ファスナー部材３０を裏面材１１に対して接着剤又は溶着等により固定する。
【００５５】
次に、裏面材１１のおむつ内側面上に表面材１２を設けると共に、裏面材１１と表面材１２との相互間にウエスト部伸縮材１５を設ける。具体的には、表面材１２を、前側胴周り部１０ａ、後側胴周り部１０ｂ、及び股下部１０ｃとなる位置にわたって設け、裏面材１１に対して少なくともその一部を接着剤又は溶着等によって固定する。また、ウエスト部伸縮材１５を後側胴周り部１０ｂとなる位置においてＸ方向に沿うように設け、ウエスト部伸縮材１５を伸長させた状態で、裏面材１１又は表面材１２に対して接着剤又は溶着等により固定する。
【００５６】
続いて、一対の立体ギャザー１４の各々に立体ギャザー伸縮材１４ａを設け、当該立体ギャザー伸縮材１４ａを伸張させた状態で立体ギャザー１４に対して接着剤又は溶着等により固定する。そして、一対の立体ギャザー１４を裏面材１１のおむつ内側面上に設ける。具体的には、一対の立体ギャザー１４を、前側胴周り部１０ａ、後側胴周り部１０ｂ、及び股下部１０ｃとなる位置にわたって設け、これら前側胴周り部１０ａ、後側胴周り部１０ｂ、及び股下部１０ｃのＸ方向の両端側に配置し、裏面材１１に対して接着剤又は溶着等により固定する。また、各立体ギャザー１４における装着者の股下側に当接する部分において、立体ギャザー１４のおむつ外側面のうち、立体ギャザー伸縮材１４ａが設けられていない領域を、裏面材１１に対して接着剤又は溶着によって接続する。
【００５７】
（効果）
このように実施の形態１によれば、股下部１０ｃにおける脚周り部伸縮材１６の延伸線上に、前側胴周り部１０ａ、後側胴周り部１０ｂ、又は当該股下部１０ｃに着脱自在に係合される脚部ファスナー部材３０を設けたので、装着者がテープ式の使い捨ておむつ１を装着した時に、装着者によって脚部ファスナー部材３０が引張られた際には、脚周り部伸縮材１６を効果的に延伸させることができる。そのため、装着者の脚周り側を股下部１０ｃにフィットさせることができ、排泄物の漏れを防止する効果を向上させることができる。また、装着者によって引張られる脚部ファスナー部材３０の引張方向が脚周り部伸縮材１６の延伸方向と一致するように、脚部ファスナー部材３０を配置することで、装着者によって脚部ファスナー部材３０に作用する引張力を脚周り部伸縮材１６に効果的に伝達することができ、脚周り部伸縮材１６を一層効果的に延伸させることができる。
【００５８】
また、ファスナー部材２０を後側胴周り部１０ｂに設け、脚部ファスナー部材３０を、股下部１０ｃにおけるＹ方向の中央位置よりも前側胴周り部１０ａ側に設けたので、脚部ファスナー部材３０をファスナー部材２０の引張方向と対向する方向に沿って引張ることができ、股下部１０ｃにおけるＹ方向の中央位置よりも後側胴周り部１０ｂ側に設けた場合に比べて脚周り部伸縮材１６を効果的に延伸させることができる。
【００５９】
また、脚部ファスナー部材３０を弾性部材にて形成したので、当該脚部ファスナー部材３０と脚周り部伸縮材１６と連続した延伸効果を有することができ、テープ式の使い捨ておむつ１の装着性を一層向上させることができる。
【００６０】
また、立体ギャザー１４における反対側の端部から股下部１０ｃに至る間の領域のうち、立体ギャザー伸縮材１４ａが設けられていない領域を股下部１０ｃに接続したので、当該立体ギャザー伸縮材１４ａが設けられていない領域が脚部ファスナー部材３０の伸縮と共に伸縮しやすくなる。そのため、立体ギャザー１４のギャザー効果を向上させることができ、装着者の股下側と立体ギャザー１４とをフィットさせることができる。また、上記立体ギャザー伸縮材１４ａが設けられていない領域を股下部１０ｃに接続することにより、おむつ本体１０における、上記立体ギャザー伸縮材１４ａが設けられていない領域におけるＹ方向の端部近傍と立体ギャザー１４との相互間にポケット構造５０を形成することができ、従来のテープ式の使い捨ておむつと遜色なく、排泄物を閉じ込めることができる。また、このポケット構造５０は、脚部ファスナー部材３０のＸ方向の線上に形成されているので、脚部ファスナー部材３０が引張られると、立体ギャザー１４が伸張されるので、このポケット構造５０の密閉性を向上させることができる。
【００６１】
〔実施の形態２〕
次に、実施の形態２について説明する。この実施の形態２は、パッド（インナーパッド）の装着が可能な形態である。なお、実施の形態１と略同様の構成要素については、必要に応じて、実施の形態１で用いたのと同一の符号又は名称を付してその説明を省略する。
【００６２】
（構成）
まず、実施の形態２に係るテープ式の使い捨ておむつ１の構成について説明する。図１１は、実施の形態２に係るテープ式の使い捨ておむつ１の構成を示す平面図である。図１１に示すように、テープ式の使い捨ておむつ１は、おむつ本体１０に対してファスナー部材２０と、脚部ファスナー部材３０とを固定して構成されている。
【００６３】
（構成−おむつ本体）
おむつ本体１０は、裏面材１１、表面材１２、吸収体１３、立体ギャザー１４、ウエスト部伸縮材１５、脚周り部伸縮材１６、ターゲットゾーン１７、及びパッド用立体ギャザー１８を備えて構成されている。
【００６４】
パッド用立体ギャザー１８は、パッド（図示省略）を着脱自在に固定するための固定手段である。ここで、「パッド」とは、排泄物を吸収する吸収体のことであり、例えば高分子ポリマー、パルプ繊維等の吸水材にて形成されたものであって、平面形状を略方形状又は略砂時計形状とする板状体であるインナーパッド等が該当する。
【００６５】
このパッド用立体ギャザー１８は、装着者に向けて凸となる突起状に形成された板状体であり、前側胴周り部１０ａ、後側胴周り部１０ｂ、又は股下部１０ｃに設けられている。具体的には、実施の形態２では、パッド用立体ギャザー１８は、裏面材１１のおむつ内側面上に複数設けられており、前側胴周り部１０ａと後側胴周り部１０ｂのＸ方向の両端部近傍に配置され、裏面材１１に対して接着剤又は溶着等により接続されている。
【００６６】
また、パッド用立体ギャザー１８におけるおむつ本体１０側とは反対側の端部には、パッド用立体ギャザー伸縮材１８ａが設けられている。パッド用立体ギャザー伸縮材１８ａは、パッドを装着者にフィットさせるために、パッド用立体ギャザー１８を伸縮させるための固定手段用伸縮部材である。このパッド用立体ギャザー伸縮材１８ａは、ゴム材等の弾性部材で形成された略細長の線状体又は棒状体であり、当該パッド用立体ギャザー伸縮材１８ａを伸張させた状態でパッド用立体ギャザー１８に対して接着剤又は溶着等により固定されている。
【００６７】
これにより、パッドがパッド用立体ギャザー１８によって固定されることによって、装着者とおむつ本体１０との相互間においてパッドをズレないように介在させることができる。
【００６８】
（テープ式の使い捨ておむつの製造方法）
次に、上述したテープ式の使い捨ておむつ１の製造方法について説明する。このテープ式の使い捨ておむつ１の製造方法は、おむつ本体１０の製造工程と、ファスナー部材２０の取付工程と、脚部ファスナー部材３０の取付工程とに大別される。
【００６９】
ここで、おむつ本体１０の製造工程について説明する。おむつ本体１０の製造工程は、最初に裏面材１１と表面材１２との相互間に、吸収体１３、及びウエスト部伸縮材１５を設ける。
【００７０】
また、パッド用立体ギャザー１８の設置については、複数のパッド用立体ギャザー１８の各々にパッド用立体ギャザー伸縮材１８ａを設け、当該パッド用立体ギャザー伸縮材１８ａを伸張させた状態でパッド用立体ギャザー１８に対して接着剤又は溶着等により固定する。次いで、複数のパッド用立体ギャザー１８を裏面材１１のおむつ内側面上に設ける。具体的には、複数のパッド用立体ギャザー１８を前側胴周り部１０ａ又は後側胴周り部１０ｂとなる位置に設け、裏面材１１に対して接着剤又は溶着等により固定する。
【００７１】
（効果）
このように実施の形態２によれば、前側胴周り部１０ａと後側胴周り部１０ｂとには、パッドを着脱自在に固定可能なパッド用立体ギャザー１８を設けたので、パッドの端部がパッド用立体ギャザー１８によって固定されることによって、装着者とおむつ本体１０との相互間においてパッドをズレないように介在させることができる。そのため、テープ式の使い捨ておむつ１にパッドが取り付けられた場合でも、当該パッドが取り付けられていない場合と同様の装着性を維持することができる。
【００７２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７４】
（ファスナー部材及び脚部ファスナー部材の数について）
各実施の形態では、テープ式の使い捨ておむつ１に対しておむつ本体１０のＸ方向の両端部に一対のファスナー部材２０、及び一対の脚部ファスナー部材３０が設けられているが、これに限られず、例えば、当該おむつ本体１０のＸ方向の端部にそれぞれ複数のファスナー部材２０、又は複数の脚部ファスナー部材３０が設けられてもよい。
【００７５】
（脚周り部伸縮材の設置の詳細について）
各実施の形態では、脚周り部伸縮材１６は、股下部１０ｃのＸ方向の端部近傍に連続状に配置されていると説明したが、これに限られない。例えば、脚周り部伸縮材１６が股下部１０ｃのＸ方向の端部近傍に断続状に配置されてもよい。
【００７６】
（脚部ファスナー部材の設置の詳細について）
各実施の形態では、脚部ファスナー部材３０は、股下部１０ｃにおけるＹ方向の中央位置よりも前側胴周り部１０ａ側に設けられていると説明したが、これに限られない。例えば、脚部ファスナー部材３０は、股下部１０ｃにおけるＹ方向の中央位置よりも後側胴周り部１０ｂ側に設けられてもよく、又は股下部１０ｃにおけるＹ方向の中央位置よりも前側胴周り部１０ａ側と後側胴周り部１０ｂ側とに設けられてもよい。
【００７７】
（ターゲットゾーンと第１の面ファスナーについて）
各実施の形態では、ターゲットゾーン１７がフック状の突起部を係合するように構成されている場合には、第１の面ファスナー２０ａは、当該フック状の突起部が着脱可能に係合される突起部を有する部材として構成されると説明したが、これに限られない。例えば、ターゲットゾーン１７又は第１の面ファスナー２０ａに粘着層が設けられることにより、ターゲットゾーン１７と第１の面ファスナー２０ａとが相互に接着されるように構成されてもよい。
【００７８】
（その他のテープ式の使い捨ておむつの構造及び製造方法について）
その他、テープ式の使い捨ておむつ１の構造及び製造方法については、上記説明した技術的思想に逸脱しない範囲で、任意に変更することが可能である。
【符号の説明】
【００７９】
１  テープ式の使い捨ておむつ
１０  おむつ本体
１０ａ  前側胴周り部
１０ｂ  後側胴周り部
１０ｃ  股下部
１１  裏面材
１１ａ  裏面材不織布
１２  表面材
１３  吸収体
１４  立体ギャザー
１４ａ  立体ギャザー伸縮材
１５  ウエスト部伸縮材
１６  脚周り部伸縮材
１７  ターゲットゾーン
１８  パッド用立体ギャザー
１８ａ  パッド用立体ギャザー伸縮材
２０  ファスナー部材
２０ａ  第１の面ファスナー
３０  脚部ファスナー部材
３０ａ  第２の面ファスナー
４０  凹部
４１  前側連結部
４２  後側連結部
５０  ポケット構造
６０  接合部
１００ａ、１００ｂ  区分面
【図１】
2013013682.tif 000003
【図２】
2013013682.tif 000004
【図３】
2013013682.tif 000005
【図４】
2013013682.tif 000006
【図５】
2013013682.tif 000007
【図６】
2013013682.tif 000008
【図７】
2013013682.tif 000009
【図８】
2013013682.tif 000010
【図９】
2013013682.tif 000011
【図１０】
2013013682.tif 000012
【図１１】
2013013682.tif 000013